(57)【要約】      （修正有）【課題】ロック及びロック解除が簡単な超薄型コネクタを提供する。【解決手段】プリント回路基板及び切欠き部を有しているフレキシブルケーブルを接続するために用いられ、ロック及びロック解除が簡単な超薄型コネクタは端子１８と、ハウジング１２と、絶縁体１４と、複数の係止具１６とで構成されている。ハウジングはこれら係止具に対応するための複数の弾性シート１２４を有する。各係止具はフックアーム及びフック部を有する。フック部はフレキシブルケーブルが発生する第一外力を受けてフックアームを第一方向に一角度回転させ、切欠き部がフック部に対応すると、フック部が各弾性シートの弾力を受けてフックアームを第二方向に回転させ、フック部を切欠き部に係合させる。また、フック部がフレキシブルケーブルが発生する第二外力を受けてフックアームを第一方向に回転させ、切欠き部からフック部を滑り出させてロックを解除する。【選択図】図６ｂ
0003234484.tif 000002
【実用新案登録請求の範囲】
【請求項１】
プリント回路基板及び切欠き部を有しているフレキシブルケーブルを接続するためのロック及びロック解除が簡単な超薄型コネクタであって、
前記プリント回路基板及び前記フレキシブルケーブルを接続するための端子と、
第一本体及び複数の弾性シートを有し、前記第一本体には収容空間が形成されているハウジングと、
前記収容空間に設置され、第二本体と、複数のロックスロットと、複数の回転可能な凸部と、ウィンドウ部とを有し、これら前記回転可能な凸部はこれら前記ロックスロットに形成され、前記ウィンドウ部は前記第二本体に欠設されている絶縁体と、
第三本体と、孔部と、フックアームと、フック部とをそれぞれ有し、前記第三本体は各これら前記ロックスロットに設けられ、前記孔部、前記フックアーム、及び前記フック部は前記第三本体に形成され、前記孔部は各これら前記回転可能な凸部に対応するように設けられ、前記フックアームは前記フック部と前記孔部との間に設置されていると共に各これら前記弾性シートに対応するように設置されている複数の係止具と、を備え、
前記フック部は前記フレキシブルケーブルが発生する第一外力を受けて前記フックアームを各これら前記回転可能な凸部により第一方向に一角度回転させ、前記フック部が各これら前記弾性シートの弾力を受けて前記フックアームを各これら前記回転可能な凸部により第二方向に回転させ、前記フック部を前記切欠き部に係合させ、前記フック部が前記フレキシブルケーブルが発生する第二外力を受けて前記フックアームを各これら前記回転可能な凸部により前記第一方向に回転させ、前記切欠き部から前記フック部を滑り出させることを特徴とするロック及びロック解除が簡単な超薄型コネクタ。
【請求項２】
前記第二本体はウィンドウ部及び端子スロットをさらに備え、前記ウィンドウ部は前記端子を載設するように変形し、前記端子スロットに前記端子が設けられることを特徴とする請求項１に記載のロック及びロック解除が簡単な超薄型コネクタ。
【請求項３】
前記フック部には円滑面、作動面、固定面、及び滑動面がさらに形成され、前記作動面は前記円滑面及び前記滑動面の一端に連接し、前記滑動面の他端は前記固定面に連接し、また、前記固定面及び前記滑動面は異なる勾配を有していることを特徴とする請求項１に記載のロック及びロック解除が簡単な超薄型コネクタ。
【請求項４】
各これら前記弾性シートは前記第一本体の内壁に形成され、固定部と、延伸部と、接触部と、をさらに備え、前記延伸部は前記固定部及び前記接触部に連接し、前記接触部は前記フックアームに作用することを特徴とする請求項１に記載のロック及びロック解除が簡単な超薄型コネクタ。
【請求項５】
各これら前記弾性シートは前記第一本体の表面に形成され、各これら前記弾性シートの形状はＳ形に類似し、各これら前記弾性シートは固定部と、延伸部と、接触部と、をさらに備え、前記固定部は前記第一本体の前記表面に設けられ、前記延伸部は前記固定部及び前記接触部に連接し、前記接触部は前記表面から一方向に向けて延伸されて前記フックアームに作用することを特徴とする請求項１に記載のロック及びロック解除が簡単な超薄型コネクタ。
【考案の詳細な説明】
【技術分野】
【０００１】
本考案は、コネクタの分野に関し、より詳しくは、ロック及びロック解除が簡単な超薄型コネクタ（ultra-thin easy-lock and easy-unlock connector）に関する。
【背景技術】
【０００２】
従来の自動ロックコネクタは、自動ロック構造の設計のため厚さを有効的に減らすことができず、薄型ノートパソコンの本体のような薄型化が必要な応用には使用できなかった。
【０００３】
そこで、本考案者は上記の欠点が改善可能と考え、鋭意検討を重ねた結果、合理的設計で上記の課題を効果的に改善する本考案のロック及びロック解除が簡単な超薄型コネクタの提案に至った。
【考案の概要】
【考案が解決しようとする課題】
【０００４】
本考案は、上記問題点に鑑みて本発明者の鋭意研究により成されたものであり、本考案の第一の目的は、ロック及びロック解除が簡単な超薄型コネクタを提供することにある。すなわち、プリント回路基板及びフレキシブルケーブルを接続可能であり、自動ロック及び手動ロック解除の目的を達成する。
【０００５】
本考案の第二の目的は、ロック及びロック解除が簡単な超薄型コネクタを提供することにある。すなわち、第一本体の弾性シート及び係止具の相互作用により、フレキシブルケーブルの自動ロック及び自動ロック解除の目的を達成する。
【０００６】
本考案の第三の目的は、ロック及びロック解除が簡単な超薄型コネクタを提供することにある。すなわち、複数の係合部の相互干渉により、ハウジング、係止具、及び絶縁体を収容空間に固定する目的を達成する。
【０００７】
本考案の第四の目的は、ロック及びロック解除が簡単な超薄型コネクタを提供することにある。すなわち、係止具が円滑面、作動面、固定面、及び滑動面を提供し、ユーザーがフレキシブルケーブルにより直接ロック及びロック解除可能にする。
【０００８】
本考案の第五の目的は、ロック及びロック解除が簡単な超薄型コネクタを提供することにある。すなわち、弾性シートを第一本体の内壁に形成するか、表面から延伸して形成する。
【課題を解決するための手段】
【０００９】
上記課題を解決するために、本考案に係るロック及びロック解除が簡単な超薄型コネクタは、プリント回路基板及び切欠き部を有しているフレキシブルケーブルを接続可能である。ロック及びロック解除が簡単な超薄型コネクタは、端子と、ハウジングと、絶縁体と、複数の係止具と、を備えている。端子はプリント回路基板及びフレキシブルケーブルを接続可能可能である。ハウジングは第一本体及び複数の弾性シートを含む。第一本体には収容空間が形成されている。絶縁体は収容空間に設置されている。絶縁体は第二本体、複数のロックスロット、複数の回転可能な凸部、及びウィンドウ部で構成されている。これら前記回転可能な凸部はこれら前記ロックスロットに形成され、前記ウィンドウ部は第二本体に欠設されている。各これら前記係止具は第三本体と、孔部、フックアームと、フック部と、を具備している。第三本体は各これら前記ロックスロットに設けられている。孔部、フックアーム、及びフック部は第三本体に形成されている。孔部は各これら前記回転可能な凸部に対応するように設けられている。フックアームはフック部と孔部との間に設置されていると共に各これら前記弾性シートに対応するように設置されている。フック部がフレキシブルケーブルが発生する第一外力を受けてフックアームを各これら前記回転可能な凸部により第一方向に一角度回転させ、前記フック部が各これら前記弾性シートの弾力を受けてフックアームを各これら前記回転可能な凸部により第二方向に回転させ、フック部を切欠き部に係合させ、フック部がフレキシブルケーブルが発生する第二外力を受けてフックアームを各これら前記回転可能な凸部により第一方向に回転させ、切欠き部からフック部を滑り出させる。
【考案の効果】
【００１０】
本考案によれば、次のような効果がある。
従来のコネクタと比較すると、本考案に係るロック及びロック解除が簡単な超薄型コネクタは、一体成形されているハウジング及び係止具に絶縁体を結合することで、コネクタの薄型化を実現し、コネクタが自動ロック及び自動ロック解除機能を有する。
【００１１】
本明細書及び図面の記載により、少なくとも、以下の事項が明らかとなる。
【図面の簡単な説明】
【００１２】
【図１】本考案の第１実施例に係るロック及びロック解除が簡単な超薄型コネクタを示す外観斜視図である。
【図２ａ】図１に示すハウジングを示す上面図である。
【図２ｂ】図１に示すハウジングのＡ-Ａ‘を示す断面図である。
【図２ｃ】図２ｂに示すハウジングを示す正面図である。
【図３ａ】図１に示す絶縁体を示す上面図である。
【図３ｂ】図１に示す絶縁体を示す底面図である。
【図４ａ】本考案の係止具を示す上面図である。
【図４ｂ】本考案の係止具を示す拡大概略図である。
【図５】本考案の絶縁体と係止具の組み合わせを示す概略図である。
【図６ａ】図１に示すロック及びロック解除が簡単な超薄型コネクタを示す側面図である。
【図６ｂ】図３ａに示すＢ-Ｂ‘を示す断面図である。
【図７】図２ａに示すハウジングの他の実施例を示す概略図である。
【図８ａ】本考案の他の絶縁体を示す上面図である。
【図８ｂ】図８ａに示す絶縁体を示す底面図である。
【図９ａ】本考案の他の係止具を示す上面図である。
【図９ｂ】図９ａに示す係止具を示す拡大概略図である。
【図１０ａ】本考案の第２実施例に係るロック及びロック解除が簡単な超薄型コネクタを示す側面図である。
【図１０ｂ】図１０ａに示すＣ-Ｃ‘を示す断面図である。
【考案を実施するための形態】
【００１３】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１４】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１５】
なお、本明細書において、「備える」、「含む」、「有している」、「含有している」、或いは他の類似するあらゆる用語は被排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語 は包括的な「或いは」という意義を指し、排他的な「或いは」ではない。
【００１６】
図１は本考案の第１実施例に係るロック及びロック解除が簡単な超薄型コネクタを示す外観斜視図である。図１において、ロック及びロック解除が簡単な超薄型コネクタ１０はフレキシブルケーブル２及びプリント回路基板４を接続可能である。
【００１７】
図１において、ロック及びロック解除が簡単な超薄型コネクタ１０はハウジング１２及び絶縁体１４を備えている。後続の図面において、ロック及びロック解除が簡単な超薄型コネクタ１０はハウジング１２及び絶縁体１４以外に端子１８及び係止具１６も備えている。
【００１８】
また、図２ａ乃至図２ｃは図１に示すハウジングを示す詳細な概略図である。図２ａは図１に示すハウジングを示す上面図である。図２ｂは図１に示すハウジングのＡ-Ａ‘を示す断面図である。図２ｃは図２ｂに示すハウジングを示す正面図である。
【００１９】
ハウジング１２は第一本体１２２及び複数の弾性シート１２４を備えている。第一本体１２２には絶縁体１４を設置するための収容空間ＳＰが形成されている。フレキシブルケーブル２は図２（ａ）及び図２（ｂ）の挿入口ＩＰから挿入するか抜出する。
【００２０】
本実施例では、弾性シート１２４の数量が２つであるものを例として説明するが、他の実施例では数量の制限はない。ここではそのうちの１つについて説明し、もう１つは同じ機能を有しているため、ここでは、その説明を省略する。弾性シート１２４は第一本体１２２の内壁に形成され、ここでは、弾性シート１２４が固定部１２４２と、延伸部１２４４と、接触部１２４６と、をさらに備えている（図６ｂを併せて参照）。図６（ｂ）から分かるように、弾性シート１２４は一体成形されている金属シートであり、延伸部１２４４は固定部１２４２と接触部１２４６との間に位置し、延伸部１２４４により固定部１２４２及び接触部１２４６が同じ軸上に位置しなくなる。ここでは、固定部１２４２は第一本体１２２の内壁に固定され、接触部１２４６が圧迫された際に変形し、圧迫が解除されると、接触部１２４６が変形により蓄積した弾力を解放する。
【００２１】
他の実施例では、ハウジング１２は第一係合具１２５と、第三係合具１２６と、ストッパー１２８と、固着部材１２１０と、をさらに備えている。ここでは、第一係合具１２５、第三係合具１２６、ストッパー１２８、及び固着部材１２１０の数量は２つであり、且つ対称となる設計を採用しているが、他の実施例では数量の制限はない。第一係合具１２５及び第三係合具１２６の数量は後述する絶縁体１４の第二係合具１４１２及び第四係合具１４１４に対応するように設計されている。
【００２２】
また、図３ａ乃至図３ｂは図１に示す絶縁体を示す詳細な概略図である。図３ａは図１に示す絶縁体を示す上面図である。図３ｂは図１に示す絶縁体を示す底面図である。
【００２３】
絶縁体１４は第二本体１４２と、ロックスロット１４４と、回転可能な凸部１４６と、ウィンドウ部１４８と、を備えている。ロックスロット１４４及び回転可能な凸部１４６の数量が２つである例について説明する。
【００２４】
回転可能な凸部１４６はロックスロット１４４に形成され、ここでは、回転可能な凸部１４６が円柱体である例について説明する。ウィンドウ部１４８は第二本体１４２に欠設され、特に端子１８及びフレキシブルケーブル２が作用する位置に欠設されている。
【００２５】
また、図４ａ乃至図４ｂは本考案のロック及びロック解除が簡単な超薄型コネクタの係止具を示す詳細な概略図である。図４ａは本考案の係止具を示す上面図である。図４ｂは本考案の係止具を示す拡大概略図である。
【００２６】
係止具１６は第三本体１６２、孔部１６４と、フックアーム１６６と、フック部１６８と、を備えている。係止具１６２の数量が２つであるものを例として説明する。
【００２７】
第三本体１６２はロックスロット１４４に設けられている。孔部１６４、フックアーム１６６、及びフック部１６８は第三本体１６２に形成されている。孔部１６４は回転可能な凸部１４６に対応するように設けられている。フックアーム１６６はフック部１６８と孔部１６４との間に設置されていると共に弾性シート１２４に対応するように設置され、ここでは、係止具１６は弾性シート１２４の接触部１２４６に直接接触するか直接接触しない。
【００２８】
フック部１６８には円滑面１６８２、作動面１６８４、固定面１６８６、及び滑動面１６８８がさらに形成されている。作動面１６８４は円滑面１６８２及び滑動面１６８８の一端に連接している。滑動面１６８８の他端は固定面１６８６に連接している。固定面１６８６及び滑動面１６８８は異なる勾配を有し、フレキシブルケーブル２が係止具１６に係合すると脱落しなくなり、外力が付勢されると、フレキシブルケーブル２が固定面１６８６から滑動面１６８８に向けて移動し、最後に係止具１６から脱離する。
【００２９】
また、図５は本考案の絶縁体と係止具の組み合わせを示す概略図である。かつ、図６ａと図６ｂは図１に示すロック及びロック解除が簡単な超薄型コネクタの構成を示す概略図である。図６ａは図１に示すロック及びロック解除が簡単な超薄型コネクタを示す側面図である。図６ｂは図３ａに示すＢ-Ｂ‘を示す断面図である。フック部１６８がフレキシブルケーブル２が発生する第一外力Ｆ１を受けると、即ち、フレキシブルケーブル２を挿入口ＩＰから絶縁体１４に挿入すると、先に円滑面１６８２に接触し、フックアーム１６６を回転可能な凸部１４６により第一方向（例えば、図面の両側に向けて移動させる）角度θ回転させ、作動面１６８４をフレキシブルケーブル２の切欠き部２２に進入させた後、フック部１６８が弾性シート１２４の弾力を受けてフックアーム１６６を回転可能な凸部１４６により第二方向（例えば、第一方向の作動方向とは逆方向）に回転させ、フック部１６８を切欠き部２２に係合させる。最後に、フレキシブルケーブル２が収容空間ＳＰにロックする。また、次いでフック部１６８がフレキシブルケーブル２が発生する第二外力Ｆ２を受けてフックアーム１６６を回転可能な凸部１４６により第一方向に回転させ、切欠き部２２からフック部１６８を滑り出させ（固定面１６８６から滑動面１６８８を経て作動面１６８４により退出させる）、フレキシブルケーブル２が収容空間ＳＰから脱離する。一実施例において、前述の角度θの範囲は１０度未満である。
【００３０】
図７は図２ａに示すハウジングの他の実施例を示す概略図である。図７によると、ハウジング１２’は第１実施例と同様に、第一本体１２２と、第一係合具１２５と、第三係合具１２６と、ストッパー１２８と、固着部材１２１０と、を備えている以外、第１実施例とは異なり弾性シート１２４’も備えている。
【００３１】
第一本体１２２、第一係合具１２５、第三係合具１２６、ストッパー１２８、及び固着部材１２１０の説明は前述したとおりでるため、ここでは、その説明を省略する。
【００３２】
弾性シート１２４’は第一本体１２２の表面に形成されている。弾性シート１２４’の形状はＳ形に類似している。弾性シート１２４’は固定部１２４２と、延伸部１２４４と、接触部１２４６と、をさらに備えている。固定部１２４２は第一本体１２２の表面に設置され、延伸部１２４４は固定部１２４２及び接触部１２４６に連接している。接触部１２４６は表面から一方向（本図面を例にすると用紙の表面に対する垂直方向）に向けて延伸されてフックアーム１６６に作用する。
【００３３】
図８ａと図８ｂは本考案の図３ａと図３ｂに示す絶縁体の他の実施例を示す概略図である。図８ａは本考案の他の絶縁体を示す上面図である。図８ｂは図８ａに示す絶縁体を示す底面図である。図８（ａ）及び図８（ｂ）の絶縁体１４’は図７の構造に基づいて適応するように調整し、絶縁体１４’の第二本体１４２、ロックスロット１４４、回転可能な凸部１４６、端子スロット１４１０、第二係合具１４１２、第四係合具１４１４等の説明は前記絶縁体１４の描写及び図作動方式と同様であるため、ここでは、その説明を省略する。
【００３４】
図９ａと図９ｂは本考案の図４ａと図４ｂに示す係止具の他の実施例を示す概略図である。図９ａは本考案の他の係止具を示す上面図である。図９ｂは図９ａに示す係止具を示す拡大概略図である。図９（ａ）及び図９（ｂ）の係止具１６’は図７の構造に基づいて適応するように調整し、係止具１６’の第三本体１６２、孔部１６４、フックアーム１６６、フック部１６８、円滑面１６８２、作動面１６８４、固定面１６８６、及び滑動面１６８８等の説明は前記絶縁体１４の描述及び作動方式と同様であるため、ここでは、その説明を省略する。
【００３５】
図１０ａは本考案の第２実施例に係るロック及びロック解除が簡単な超薄型コネクタを示す側面図である。図１０ｂは図１０ａに示すＣ-Ｃ‘を示す断面図である。図１０（ａ）及び図１０（ｂ）において、フック部１６８が同様にフレキシブルケーブル２が発生する第一外力Ｆ１及び第二外力Ｆ２を受け、その主な差異は、本来第一本体１２２の内壁に位置している弾性シート１２４が第一本体１２２の表面の弾性シート１２４’に変更されている。
【００３６】
本考案は、その精神または主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００３７】
２  フレキシブルケーブル
２２  切欠き部
４  プリント回路基板
１０  ロック及びロック解除が簡単な超薄型コネクタ
１０’  ロック及びロック解除が簡単な超薄型コネクタ
１２  ハウジング
１２’  ハウジング
１２２  端子
１２４  弾性シート
１２４’  弾性シート
１２５  第一係合具
１２４２  固定部
１２４４  延伸部
１２４６  接触部
１２６  第三係合具
１２８  ストッパー
１２１０  固着部材
１４  絶縁体
１４’  絶縁体
１４２  第二本体
１４４  ロックスロット
１４６  回転可能な凸部
１４８  ウィンドウ部
１６  係止具
１６’  係止具
１６２  第三本体
１６４  孔部
１６６  フックアーム
１６８  フック部
１６８２  円滑面
１６８４  作動面
１６８６  固定面
１６８８  滑動面
１８  端子
ＩＰ  挿入口
Ｆ１  第一外力
Ｆ２  第二外力
Θ  角度
【図１】
0003234484.tif 000003
【図２ａ】
0003234484.tif 000004
【図２ｂ】
0003234484.tif 000005
【図２ｃ】
0003234484.tif 000006
【図３ａ】
0003234484.tif 000007
【図３ｂ】
0003234484.tif 000008
【図４ａ】
0003234484.tif 000009
【図４ｂ】
0003234484.tif 000010
【図５】
0003234484.tif 000011
【図６ａ】
0003234484.tif 000012
【図６ｂ】
0003234484.tif 000013
【図７】
0003234484.tif 000014
【図８ａ】
0003234484.tif 000015
【図８ｂ】
0003234484.tif 000016
【図９ａ】
0003234484.tif 000017
【図９ｂ】
0003234484.tif 000018
【図１０ａ】
0003234484.tif 000019
【図１０ｂ】
0003234484.tif 000020